(57)【要約】【課題】  ＣＰＵグレードアップ等のメンテナンス作業等に際してのエンジンボードに対する取り扱い性の向上を図る。【解決手段】  商品販売データ処理装置１の本体ハウジング２の側面に着脱自在に設けられるパネル２ｃを取り外すことで、開口部１３を外部に露出させ、この開口部１３から少なくともＣＰＵ８ａを搭載しているエンジンボード８を取り出すことができる。これにより、エンジンボード８は制御部７の１／３程度の投影面積であることから、ＣＰＵグレードアップ等のメンテナンス作業等に際してのエンジンボード８に対する取り扱い性の向上を図ることができる。【選択図】    図４
2006092459.tif 000002
【特許請求の範囲】
【請求項１】
本体ハウジング内部に各部を制御する制御部を備える商品販売データ処理装置において、
前記本体ハウジングの側面に着脱自在に設けられるパネルと、
前記本体ハウジングに形成されている開口部と、
前記制御部内に配設されており、前記開口部を介して外部に挿脱自在に設けられていて、少なくともＣＰＵ（Central Processing Unit）を搭載しているエンジンボードと、
を備えることを特徴とする商品販売データ処理装置。
【請求項２】
前記エンジンボードはコネクタを有しており、前記制御部に配設されているライザボードのコネクタに対して着脱自在である、
ことを特徴とする請求項１記載の商品販売データ処理装置。
【請求項３】
前記エンジンボードは、ＨＤＤ（Hard Disk Drive）とは別体に設けられている、
ことを特徴とする請求項１または２記載の商品販売データ処理装置。
【発明の詳細な説明】
【技術分野】
【０００１】
本発明は、ＰＯＳ（Point of Sales）端末等の商品販売データ処理装置に関する。
【背景技術】
【０００２】
一般に、この種の商品販売データ処理装置であるＰＯＳ端末は、各商品に各々付された固有の商品コードに対応して商品名や販売価格等の商品情報が設定されたＰＬＵ（Price Look Up）ファイルを備え、バーコードスキャナ等により商品の商品コードが入力されるとＰＬＵファイルを検索して入力された商品コードに対応する商品名や販売価格等の商品情報を読み出し、これらの商品情報に基づいて売上処理、商品名や価格等の表示処理及びレシート用紙への印字処理を行うようにしている（例えば、特許文献１参照）。
【０００３】
このようなＰＯＳ端末は、商品の値数、授受金額等を入力するキーボードと、このキーボードから入力されたデータ及びスキャナにてバーコードから読み込んだ商品コードに基づく情報を表示する表示器と、品名・価格・領収書等を印刷するプリンタ、及び入力情報などを処理する制御部から構成されている。
【０００４】
ここで、図６はＰＯＳ端末１００を示す分解斜視図である。図６に示すように、ＰＯＳ端末１００の制御部１０１は、電源１０２、ＣＰＵ（Central Processing Unit）やメモリ等が搭載されたプリント配線基板であるエンジンボード１０３、ＯＳ（Operating System）・アプリケーション・売上情報等を記録するＨＤＤ（図示せず）、外部機器との情報を送受信するＩ／Ｆボード１０４などで構成されている。このような制御部１０１は、ＰＯＳ端末１００の背面側に設けられている背面パネル１０５を取り外した後、ＰＯＳ端末１００の本体ハウジング１０６に形成された開口部１０７から取リ付け・取り外しを行う構造となっている。
【０００５】
このようにＰＯＳ端末１００の制御部１０１を外部に露出可能に設けたのは、制御部１０１のエンジンボード１０３に対するメンテナンス作業（メモリ増設、ＣＰＵグレードアップ等）を簡便に行うことができるようにするためである。
【０００６】
【特許文献１】特開平１０−２６９４６１号公報
【発明の開示】
【発明が解決しようとする課題】
【０００７】
しかしながら、図６に示す従来のＰＯＳ端末１００においては、制御部１０１のエンジンボード１０３に対するメンテナンス作業を行うために、ＰＯＳ端末１００から制御部１０１ごと取り外して行わなければならない。そのため、ＰＯＳ端末１００の後方に制御部１０１を引き出すための十分な作業スペースを必要とする。また、エンジンボード１０３に対するメンテナンス作業のみであっても、電源１０２、ＨＤＤ、Ｉ／Ｆボード１０４などを含む制御部１０１全体を引き出さなければならず、作業時間が掛かってしまうという問題がある。
【０００８】
本発明は、ＣＰＵグレードアップ等のメンテナンス作業等に際してのエンジンボードに対する取り扱い性の向上を図ることを目的とする。
【課題を解決するための手段】
【０００９】
本発明は、本体ハウジング内部に各部を制御する制御部を備える商品販売データ処理装置において、前記本体ハウジングの側面に着脱自在に設けられるパネルと、前記本体ハウジングに形成されている開口部と、前記制御部内に配設されており、前記開口部を介して外部に挿脱自在に設けられていて、少なくともＣＰＵ（Central Processing Unit）を搭載しているエンジンボードと、を備える。
【発明の効果】
【００１０】
本発明によれば、ＣＰＵグレードアップ等のメンテナンス作業等に際してのエンジンボードに対する取り扱い性の向上を図ることができる。
【発明を実施するための最良の形態】
【００１１】
本発明の実施の一形態を図１ないし図５に基づいて説明する。本実施の形態は、商品販売データ処理装置としてＰＯＳ（Point of Sales）端末を適用したものである。
【００１２】
ここで、図１はＰＯＳ端末１を概略的に示す外観斜視図、図２はその背面図である。ＰＯＳ端末１は、店舗の精算場所に配設されてキャッシャが売上処理を行うためのものであり、図１及び図２に示すような構成とされている。ＰＯＳ端末１には、本体ハウジング２の上面側に商品の値数、授受金額等を入力するキーボード３が設けられている。また、ＰＯＳ端末１には、商品コード等を光学的に読み取るためのコード読取装置であるスキャナ（図示せず）も接続されている。さらに、本体ハウジング２の奥側には、キーボード３から入力されたデータ及びスキャナにてバーコードから読み込んだ商品コードに基づく情報を表示するディスプレイ４と、売上処理に伴い取引単位でレシートを発行するプリンタ５が設けられている。また、ＰＯＳ端末１の客側に位置する背面には、客側ディスプレイ６が設けられている。
【００１３】
このようなＰＯＳ端末１の内部には、入力情報などを処理する制御部７（図３参照）が備えられている。図３は、制御部７の構成を概略的に示す断面図である。図３に示すように、制御部７は、プリント配線基板であるエンジンボード８、電源９、ＯＳ（Operating System）・アプリケーション・売上情報等を記録するＨＤＤ（Hard Disk Drive）１０、外部機器との情報を送受信するＩ／Ｆボード１１、エンジンボード８とＩ／Ｆボード１１とを中継するライザボード１２などで構成されている。ライザボード１２は、鉛直方向に立てて配置されており、エンジンボード８とＩ／Ｆボード１１とは、ライザボード１２に対して水平に抜き差し可能に接続されている。また、従来においてはエンジンボードに配線していたＨＤＤ、電源ＳＷなどを、本実施の形態においては全てライザボード１２に配線することにより、エンジンボード８が単体で扱えるような構成になっている。
【００１４】
このようなエンジンボード８の表面には、各部を集中的に制御するＣＰＵ８ａ等の電子部品が実装され、このＣＰＵ８ａに配線パターン（図示せず）によるバスラインを介して、機器を作動させるために一時的にＯＳ（Operating System）などを記録するメモリ８ｂ等が接続されて実装されている。加えて、エンジンボード８の端部には、ライザボード１２に設けられているコネクタ１２ａに対応するコネクタ８ｃが設けられている。
【００１５】
図４は、ＰＯＳ端末１を示す分解斜視図である。図４に示すように、ＰＯＳ端末１の本体ハウジング２は、上下パネル２ａ，２ｂ、左右側面パネル２ｃ，２ｄ、背面パネル２ｅの５部品構造になっている。そして、左側面パネル２ｃにより覆われている部分には、左側面パネル２ｃを取り外すことで外部に露出して、外部と制御部７内部とを連通する開口部１３が形成されている。エンジンボード８は、この開口部１３から引出自在に本体ハウジング２の内部に位置する制御部７のライザボード１２に装着される。
【００１６】
本実施の形態のエンジンボード８は、メモリ増設やＣＰＵグレードアップ等のメンテナンス作業に対応するため、ライザボード１２に対して着脱自在に設けられている。ここで、エンジンボード８の着脱について図５を参照して説明する。図５（ａ）に示すように、エンジンボード８を本体ハウジング２内に挿入した状態では、エンジンボード８のコネクタ８ｃは、制御部７のライザボード１２に設けられているコネクタ１２ａに接続されている。このように、エンジンボード８のコネクタ８ｃが、ライザボード１２のコネクタ１２ａに対して着脱自在であることにより、ケーブル配線を不要とするので、ＣＰＵグレードアップ等のメンテナンス作業等に際してのエンジンボード８に対する取り扱い性の向上を図ることが可能になる。なお、本体ハウジング２内部には、エンジンボード８を引出自在に案内するガイドレール（図示せず）が設けられている。これらのガイドレールは、エンジンボード８を摺動自在に保持する。
【００１７】
メモリ増設やＣＰＵグレードアップ等のメンテナンス作業を行う場合には、図５（ｂ）に示すように、図５（ａ）に示す状態から本体ハウジング２の開口部１３から引き出す方向Ａへと、エンジンボード８をガイドレールに沿ってスライドさせる。ここで、エンジンボード８のコネクタ８ｃは、エンジンボード８の引出方向Ａへのスライドにより、ライザボード１２のコネクタ１２ａから離間する。
【００１８】
そして、エンジンボード８を引出方向Ａへスライドさせ続け、図５（ｃ）に示すように、エンジンボード８を本体ハウジング２の開口部１３から完全に引き出す。図５（ｃ）に示すように、エンジンボード８を本体ハウジング２の開口部１３から完全に引き出させた状態では、エンジンボード８の周囲が広く開放されるため、ＣＰＵグレードアップのためにＣＰＵ８ａを着脱したり、メモリ増設のためにメモリ８ｂをメモリスロットに挿し込んだりする作業を容易に行うことができる。
【００１９】
すなわち、本実施の形態のＰＯＳ端末１においては、制御部７のエンジンボード８に対するメンテナンス作業を行うためにエンジンボード８のみを取り外すことができるので、エンジンボード８は制御部７の１／３程度の投影面積であることから、従来のようにＰＯＳ端末１から制御部７ごと取り外して行う場合に比べて作業スペースを約３０％程度に削減できるとともに、取り回し部品の軽量化が図れ、作業負荷の軽減、作業時間の短縮を図ることができる。また、エンジンボード８は、ＨＤＤ１０とは別体に設けられていることから、振動の影響を受け易いＨＤＤ１０の移動を無くすことにより、ＨＤＤ１０の障害発生を防止することができる。
【００２０】
メンテナンス作業終了後にエンジンボード８を本体ハウジング２へ挿入する際には、図５（ｃ）に示すように、開口部１３から本体ハウジング２の奥側へ向けて延出するガイドレールに沿って、エンジンボード８を収納方向Ｂにスライドさせる。このとき、エンジンボード８をガイドレールに沿ってスライドさせることで、エンジンボード８に取り付けられたコネクタ８ｃの移動軌跡が規制される。このため、オペレータは格別意識せずに、コネクタ８ｃをライザボード１２のコネクタ１２ａに接続させることができる。
【００２１】
このように本実施の形態によれば、ＰＯＳ端末１の本体ハウジング２の側面に着脱自在に設けられるパネル２ｃを取り外すことで、開口部１３を外部に露出させ、この開口部１３から少なくともＣＰＵ８ａを搭載しているエンジンボード８を取り出すことができる。これにより、エンジンボード８は制御部７の１／３程度の投影面積であることから、ＣＰＵグレードアップ等のメンテナンス作業等に際してのエンジンボード８に対する取り扱い性の向上を図ることができる。
【図面の簡単な説明】
【００２２】
【図１】本発明の実施の一形態のＰＯＳ端末を概略的に示す外観斜視図である。
【図２】その背面図である。
【図３】制御部の構成を概略的に示す断面図である。
【図４】ＰＯＳ端末を示す分解斜視図である。
【図５】エンジンボードの着脱を示す説明図である。
【図６】従来のＰＯＳ端末を示す分解斜視図である。
【符号の説明】
【００２３】
１…商品販売データ処理装置、２…本体ハウジング、２ｃ…パネル、７…制御部、８…エンジンボード、８ａ…ＣＰＵ、８ｃ…エンジンボードのコネクタ、１０…ＨＤＤ、１２ａ…ライザボードのコネクタ、１３…開口部
【図１】
2006092459.tif 000003
【図２】
2006092459.tif 000004
【図３】
2006092459.tif 000005
【図４】
2006092459.tif 000006
【図５】
2006092459.tif 000007
【図６】
2006092459.tif 000008